(57)【要約】【課題】複数の光源ユニットを環状に配置した場合の放熱性を高めることができる照明装置を提供すること。【解決手段】実施形態に係る照明装置は、口金と、支持体と、複数の光源ユニットと、を含む。支持体は、口金に接続される。複数の光源ユニットは、支持体に取り付けられ口金の軸を中心とした周回の上に沿って配置される。複数の光源ユニットのそれぞれは、台座部と、発光部と、複数の突起と、を含む。台座部は、支持体と接する第１面と、第１面とは反対側の第２面と、を有する。発光部は、台座部の第２面に取り付けられる。複数の突起は、台座部の第１面に設けられる。複数の突起の間には、第１面に沿った第１方向及び第１面に沿い第１方向と非平行な第２方向のそれぞれに連通した空気流路が設けられる。【選択図】図１
2014167896.tif 000002
【特許請求の範囲】
【請求項１】
口金と、
前記口金に接続された支持体と、
前記支持体に取り付けられ前記口金の軸を中心とした周回の上に沿って配置された複数の光源ユニットであって、前記複数の光源ユニットのそれぞれは、
前記支持体と接する第１面と、前記第１面とは反対側の第２面と、を有する台座部と、
前記台座部の前記第２面に取り付けられた発光部と、
前記台座部の前記第１面に設けられ複数の突起と、
を含み、
前記複数の突起の間に、前記第１面に沿った第１方向及び前記第１面に沿い前記第１方向と非平行な第２方向のそれぞれに連通した空気流路が設けられた、複数の光源ユニットと、
を備えた照明装置。
【請求項２】
前記第１方向は、前記軸に沿った方向であり、
前記第２方向は、前記軸と直交する方向である請求項１記載の照明装置。
【請求項３】
前記複数の突起は、前記第１面の前記第１方向及び前記第２方向にマトリクス状に配置された請求項１または２に記載の照明装置。
【請求項４】
前記複数の光源ユニットおいて、互いに隣り合う２つの前記光源ユニットの間に隙間が設けられた請求項１〜３のいずれか１つに記載の照明装置。
【請求項５】
前記複数の光源ユニットのうち第１の光源ユニットの前記複数の突起は、第２の光源ユニットの前記複数の突起と、前記軸に沿った方向にみて交差しない請求項１〜４のいずれか１つに記載の照明装置。
【発明の詳細な説明】
【技術分野】
【０００１】
本発明の実施形態は、照明装置に関する。
【背景技術】
【０００２】
近年、半導体発光素子としてＬＥＤ（Light Emitting Diode）を用いた照明装置の開発が盛んに行われている。照明装置には、照度分布を均一化する観点から、面状に発光する光源ユニットを用いたものがある。さらに、複数の面状の光源ユニットを環状に配置して、周囲の照度ばらつきを改善する照明装置も考えられている。照明装置においては、放熱性を高めることが重要である。
【先行技術文献】
【特許文献】
【０００３】
【特許文献１】特開２０１２−４３７０６号公報
【発明の概要】
【発明が解決しようとする課題】
【０００４】
本発明の実施形態は、複数の光源ユニットを環状に配置した場合の放熱性を高めることができる照明装置を提供する。
【課題を解決するための手段】
【０００５】
実施形態に係る照明装置は、口金と、支持体と、複数の光源ユニットと、を含む。
前記支持体は、前記口金に接続される。
前記複数の光源ユニットは、前記支持体に取り付けられ前記口金の軸を中心とした周回の上に沿って配置される。
前記複数の光源ユニットのそれぞれは、台座部と、発光部と、複数の突起と、を含む。
前記台座部は、前記支持体と接する第１面と、前記第１面とは反対側の第２面と、を有する。
前記発光部は、前記台座部の前記第２面に取り付けられる。
前記複数の突起は、前記台座部の前記第１面に設けられる。
前記複数の突起の間には、前記第１面に沿った第１方向及び前記第１面に沿い前記第１方向と非平行な第２方向のそれぞれに連通した空気流路が設けられる。
【図面の簡単な説明】
【０００６】
【図１】図１は、第１の実施形態に係る照明装置を例示する模式的斜視図である。
【図２】図２（ａ）及び（ｂ）は、第１の実施形態に係る照明装置を例示する模式図である。
【図３】図３（ａ）及び（ｂ）は、光源ユニットの模式的斜視図である。
【図４】図４（ａ）及び（ｂ）は、突起を例示する模式図である。
【図５】図５（ａ）〜（ｄ）は、連通の方向を例示する模式図である。
【図６】図６（ａ）〜（ｃ）は、光源ユニットのレイアウトを例示する模式図である。
【図７】図７（ａ）〜（ｃ）は、光源ユニットのレイアウトを例示する模式図である。
【図８】図８（ａ）〜（ｄ）は、突起を例示する模式図である。
【図９】図９（ａ）及び（ｂ）は、突起を例示する模式図である。
【図１０】図１０（ａ）〜（ｅ）は、突起を例示する模式図である。
【図１１】図１１（ａ）〜（ｃ）は、突起を例示する模式図である。
【図１２】図１２（ａ）〜（ｄ）は、突起を例示する模式図である。
【図１３】図１３（ａ）及び（ｂ）は、突起を例示する模式図である。
【図１４】図１４（ａ）〜（ｄ）は、突起を例示する模式図である。
【図１５】図１５（ａ）〜（ｈ）は、台座部を例示する模式図である。
【図１６】図１６（ａ）〜（ｇ）は、突起の形状を例示する模式図である。
【図１７】図１７（ａ）及び（ｂ）は、熱の流れを例示する模式図である。
【図１８】図１８（ａ）及び（ｂ）は、台座部を例示する模式図である。
【図１９】図１９（ａ）及び（ｂ）は、取り付け構造を例示する模式的斜視図である。
【図２０】図２０（ａ）及び（ｂ）は、取り付け構造を例示する模式的平面図である。
【図２１】図２１（ａ）〜（ｃ）は、取り付け構造を例示する模式図である。
【図２２】図２２（ａ）及び（ｂ）は、グローブを例示する模式図である。
【図２３】図２３（ａ）及び（ｂ）は、グローブを例示する模式図である。
【図２４】図２４は、支持体の他の例について例示する模式的斜視図である。
【図２５】図２５（ａ）及び（ｂ）は、第２の実施形態に係る照明装置を例示する模式図である。
【図２６】図２６は、光源ユニットを例示する模式的斜視図である。
【図２７】図２７は、光源ユニットの取り付けを例示する模式図である。
【図２８】図２８（ａ）〜（ｃ）は、光源ユニットの取付を例示する模式図である。
【図２９】図２９（ａ）〜（ｃ）は、光の反射について例示する模式図である。
【図３０】図３０は、光源ユニットを例示する模式的斜視図である。
【図３１】図３１（ａ）及び（ｂ）は、光源ユニットの取り付け構造を例示する模式図である。
【図３２】図３２は、光源ユニットを例示する模式的斜視図である。
【図３３】図３３（ａ）及び（ｂ）は、光源ユニットの取り付け構造を例示する模式図である。
【図３４】図３４（ａ）及び（ｂ）は、治具について例示する模式図である。
【発明を実施するための形態】
【０００７】
以下、本発明の実施形態を図に基づき説明する。以下の説明では、同一の部材には同一の符号を付し、一度説明した部材については適宜その説明を省略する。
【０００８】
（第１の実施形態）
図１は、第１の実施形態に係る照明装置を例示する模式的斜視図である。
図２（ａ）及び（ｂ）は、第１の実施形態に係る照明装置を例示する模式図である。
図２（ａ）には、図１に示すＡの位置で切断した模式的断面図が表される。図２（ｂ）には、支持部の模式的斜視図が表される。
図３（ａ）及び（ｂ）は、光源ユニットの模式的斜視図である。
図３（ａ）には、光源ユニットの斜視図が表される。図３（ｂ）には、光源ユニットの分解斜視図である。
図４（ａ）及び（ｂ）は、突起を例示する模式図である。
図４（ａ）には突起が設けられた台座部の模式的斜視図が表される。図４（ｂ）には、図４（ａ）に示すＢ部の模式的拡大断面図が表される。
【０００９】
図１に表したように、第１の実施形態に係る照明装置１１０は、口金１０と、支持体２０と、複数の光源ユニット３０と、を含む。照明装置１１０は、複数の光源ユニット３０による多面での発光を行うものである。証明装置１１０は、口金１０を用いた電球、水銀ランプやメタルはライドランプ等のＨＩＤ（High Intensity Discharge）ランプなどと置き換えて使用される。
【００１０】
口金１０は、給電を行う部分である。口金１０には、例えばねじ山が設けられる。このねじ山によって口金１０は図示しないソケットに螺合される。口金１０の軸ａｘは、口金１０をソケットに螺合する際の回転中心である。本実施形態では、軸ａｘに沿った方向をＺ方向、Ｚ方向と直交する方向のうちの１つをＸ方向、Ｚ方向及びＸ方向に直交する方向をＹ方向ということにする。
【００１１】
支持体２０は、口金１０に接続される。支持体２０は、口金１０の上に接続される。図２（ｂ）に表したように、支持体２０は、ケース部２１と、取り付け部２２と、を含む。ケース部２１は、口金１０の内側に挿入される。ケース部２１には、図示しない制御基板が内蔵される。取り付け部２２は、ケース部２１の上に取り付けられる。ケース部２１には、光源ユニット３０を固定するための固定面２２ａが設けられる。
【００１２】
支持体２０には、例えば、熱伝導率の高い材料が用いられる。例えば、アルミニウム（Ａｌ）、マグネシウム（Ｍｇ）、銅（Ｃｕ）、これらの合金などの金属から形成される。ただし、これらの材料に限定されるわけではなく、高熱伝導性樹脂などの有機材料などを用いてもよい。
【００１３】
複数の光源ユニット３０のそれぞれは、支持体２０に取り付けられる。図１及び図２（ａ）に表したように、複数の光源ユニット３０のそれぞれは、支持体２０に取り付けられることで、軸ａｘを中心とした周回の上に沿って配置される。光源ユニット３０は、支持体２０の取り付け部２２に設けられた固定面２２ａに、例えばねじによって固定される。取り付け部２２には孔２２ｈが設けられる。この孔２２ｈを介して光源ユニット３０の配線（図示せず）をケース部２１内に引き込む。配線はケース部２１に内蔵された制御基板と接続される。
【００１４】
図１及び図２（ａ）に表した例では、支持体２０の取り付け部２２に４つの固定面２２ａが設けられる。隣り合う２つの固定面２２ａの向きは、互いに９０度相違する。４つの固定面２２ａのそれぞれに、４つの光源ユニット３０のそれぞれが固定される。これにより、軸ａｘを中心とした周回の上に９０度ずつ角度を変えた４つの光源ユニット３０が配置される。
【００１５】
固定面２２ａは、軸ａｘと直交する方向に突出して設けられる。これにより、固定面２２ａに光源ユニット３０を固定した状態で、取り付け部２２と光源ユニット３０との間に隙間２２ｄが設けられる。この隙間２２ｄは、照明装置１１０の外部から内部に空気を導く通気経路になる。
【００１６】
複数の光源ユニット３０のそれぞれは、台座部３１と、発光部３２と、複数の突起３５と、を含む。突起３５の形状は、例えば柱状である。図３（ａ）及び（ｂ）に表したように、台座部３１には、例えば、熱伝導率の高い材料が用いられる。例えば、Ａｌ、Ｍｇ、Ｃｕ、これらの合金などの金属から形成される。ただし、これらの材料に限定されるわけではなく、高熱伝導性樹脂などの有機材料などを用いてもよい。
【００１７】
台座部３１は、例えば鋳型成型によって製造される。台座部３１は、支持体２０と接する第１面３１ａと、第１面３１ａとは反対側の第２面３１ｂと、を有する。台座部３１は、第１面３１ａの下部において固定面２２ａと接する。固定面２２ａにはねじ山が設けられる。台座部３１には孔が設けられ、この孔を介して固定面２２ａのねじ山にねじ（図示せず）が取り付けられる。
【００１８】
台座部３１及び支持体２０には、塗装や化成処理等の表面処理が施されていてもよい。外気へ放熱するために、台座部３１及び支持体２０の表面は輻射率が高いことが好ましい。塗装する場合、塗料に含まれる有機材料により、金属表面が露出する場合よりも輻射率は高くなる。選択しうる種々の色調の中で、塗料を構成する顔料に金属フィラーを含まないことがより好ましい。例えば、白色塗装の場合には、顔料に金属酸化物の、酸化チタン（ＴｉＯ２）、酸化亜鉛（ＺｎＯ）、硫酸バリウム（ＢａＳＯ４）、酸化マグネシウム（ＭｇＯ）等の白色顔料を少なくとも１種以上含むもの、また、ポリエステル樹脂系の白色塗料、アクリル樹脂系の白色塗料、エポキシ樹脂系の白色塗料、シリコーン樹脂系の白色塗料、ウレタン樹脂系の白色塗料、あるいは、これらから選択される２種以上の白色塗料を組合せたものなどが例示される。化成処理する場合、金属表面を酸化処理することが好ましい。化成処理には、例えば、陽極酸化皮膜を形成するアルマイト処理、等が選択される。
【００１９】
発光部３２は、台座部３１の第２面３１ｂに取り付けられる。図３（ｂ）に表したように、発光部３２は、例えば複数のＬＥＤ３２１を有する。複数のＬＥＤ３２１は、基板３２２の上に実装される。
【００２０】
基板３２２は、例えば、熱伝導率の高い材料から形成される。基板３２２の材料としては、例えば、Ａｌ、Ｃｕ、鉄（Ｆｅ）、これらの合金などの金属が用いられる。基板３２２の表面には、絶縁層を介して図示しない配線パターンが形成されていてもよい。なお、基板３２２の材料は例示をしたものに限定されるわけではなく適宜変更することができる。例えば、基板３２２として、樹脂を用いた基材の表面に配線パターンが形成されたものを用いてもよい。基板３２２の材料としては、窒化アルミニウム（ＡｌＮ）などの無機材料、高熱伝導性樹脂などの有機材料を用いてもよい。なお、基板３２２の材料として、熱伝導率の高い材料を用いれば、光源において発生した熱を基板３２２及び本体部を介して外部に放出することが容易となる。
【００２１】
発光部３２は、絶縁シート３２５を介して台座部３１の第２面３１ｂの上に配置される。この際、基板３２２から延出する配線（図示せず）は、台座部３１に設けられた貫通孔３１ｈを介して第２面３１ｂから第１面３１ａ側に通される。
【００２２】
発光部３２の縁部及び絶縁シート３２５の縁部の上には枠部材３３が被せられる。枠部材３３は、ねじによって台座部３１に固定される。これにより、枠部材３３によって発光部３２及び絶縁シート３２５が台座部３１に固定される。
【００２３】
光源ユニット３０には、グローブ３４が取り付けられていてもよい。グローブ３４は、透光性を有し、光源ユニット３０から照射された光を照明装置１１０の外部に出射することができるようになっている。グローブ３４は、ＬＥＤ３２１を塵や湿気から保護する。また、グローブ３４は、ＬＥＤ３２１から放出される光を拡散させる役目を有していてもよい。グローブ３４は、例えば透光性を有する材料によって形成される。グローブ３４の材料としては、例えば、ガラス、ポリカーボネートなどの透明樹脂、透光性セラミックスなどが用いられる。また、必要に応じてグローブ３４の内面に拡散剤や蛍光体などを塗布したり、グローブ３４の内部に拡散剤や蛍光体などを含ませたり（透光性の材料に拡散剤や蛍光体を練り込んだり）してもよい。
【００２４】
図４（ａ）に表したように、複数の突起３５は、台座部３１の第１面３１ａに設けられる。複数の突起３５のそれぞれは、第１面３１ａから垂直な方向に延びる。複数の突起３５は、台座部３１の放熱性を高める。突起３５の形状は、三角柱型、四角柱型、多角柱型、円筒型、三角錘型、四角錐型、多角錘型、円錐型、円錐台型、多角錘台型などである。突起３５の表面に凹凸を設けて表面積を増加させてもよい。
【００２５】
図４（ｂ）に表したように、突起３５は、第２面３１ｂから第１面３１ａに向かう方向にねじ孔３５ｓを有していてもよい。複数の突起３５のうち、台座部３１の周縁部に配置される例えば４つの突起３５にねじ孔３５ｓを設ける。ねじ孔３５ｓは、第２面３１ｂから第１面３１ａに向かい突起３５の途中まで設けられた孔３５ｈと、孔３５ｈ内に設けられたねじ山３５ｔとを有する。ねじ孔３５ｓは突起３５を貫通しない。４つのねじ孔３５ｈのＺ方向の位置は、互いに相違する。ねじ孔３５ｓには、第２面３１ｂ側からねじが取り付けられる。このねじによって第２面３１ｂに配置した発光部３２を枠部材３３によって固定する。
【００２６】
複数の突起３５の間には、第１面３１ａに沿った第１方向Ｄ１及び第１面３１ａに沿い第１方向Ｄ１と非平行な第２方向Ｄ２のそれぞれに連通した空気流路３５０が設けられる。例えば、第１方向Ｄ１に連通した空気流路３５０は複数設けられる。また、第２方向Ｄ２に連通した空気流路３５０は複数設けられる。空気流路３５０は、台座部３１の一方の端部から他方の端部まで設けられる。
【００２７】
このように、第１方向Ｄ１及び第２方向Ｄ２にそれぞれ連通した空気流路３５０が設けられることで、照明装置１１０の２つの取り付け姿勢に対応して効率良く放熱が行われる。すなわち、第１方向Ｄ１を上下方向として照明装置１１０を器具等に取り付けた場合、発光によって加熱された空気は第１方向Ｄ１の空気流路３５０を下から上に自然に流れる。一方、第２方向Ｄ２を上下方向として照明装置１１０を器具等に取り付けた場合、発光によって加熱された空気は第２方向Ｄ２の空気流路３５０を下から上に自然に流れる。いずれの向きに照明装置１１０が取り付けられた場合でも、空気の自然な流れによって台座部３１は効率よく冷却される。
【００２８】
図５（ａ）〜（ｄ）は、連通の方向を例示する模式図である。
図５（ａ）〜（ｄ）には、台座部３１を第１面３１ａと直交する方向にみた模式的な平面図がそれぞれ表されている。
【００２９】
図５（ａ）に表した例は、第１方向Ｄ１及び第２方向Ｄ２が、互いに直交する例である。第１方向Ｄ１は、例えばＺ方向である。第１方向Ｄ１の空気流路３５０は、台座部３１の第１端部３１１と、第１端部３１１とは反対側の第２端部３１２と、の間に直線状に設けられる。第１方向Ｄ１の空気流路３５０は、台座部３１に複数本設けられていることが望ましい。
【００３０】
第２方向Ｄ２は、例えばＸ方向または例えばＹ方向である。第２方向Ｄ２の空気流路３５０は、台座部３１の第３端部３１３と、第３端部３１３とは反対側の第４端部３１４と、の間に直線状に設けられる。第２方向Ｄ２の空気流路３５０は、台座部３１に複数本設けられていることが望ましい。
【００３１】
一般に、照明装置１１０を器具等に取り付ける場合、口金１０を下にして垂直に取り付ける垂直保持と、口金１０を横にして水平に取り付ける水平保持とがある。
【００３２】
ここで、台座部３１の第１面３１ａに、例えば板状の放熱フィンが設けられている場合、放熱フィンの面に沿った方向には空気は流れやすい。一方、放熱フィンの面と直交する方向には空気は流れにくい。したがって、直保持及び水平保持のいずれかにおいて、空気の流れやすい方向が上下になった場合と、空気の流れにくい方向が上下になった場合とで、冷却性に大きな差が発生することになる。
【００３３】
図５（ａ）に表したように、第１方向Ｄ１を例えばＺ方向、第２方向Ｄ２を例えばＸ方向または例えばＹ方向にすることで、垂直保持及び水平保持のいずれの場合においても空気が流れやすくなる。これにより、照明装置１１０を器具等に取り付ける向きにかかわらず、効率の良い冷却が行われることになる。
【００３４】
図５（ｂ）に表した例は、第１方向Ｄ１及び第２方向Ｄ２が、互いに直交しない例である。複数の突起３５のレイアウトによって、第１方向Ｄ１及び第２方向Ｄ２が、互いに直交しないようにしてもよい。
【００３５】
照明装置１１０を器具等に取り付ける場合、垂直保持及び水平保持以外の斜めの角度で取り付ける場合もある。第１方向Ｄ１をＺ方向とした場合、第２方向Ｄ２を、取り付けの角度に合わせることで、斜めの角度で取り付けた照明装置１１０が効率良く冷却される。また、照明装置１１０を水平保持した場合、上下方向と第２方向Ｄ２とが必ずしも一致しないが、この場合でも第２方向Ｄ２に空気の流れが発生し、十分な冷却が行われる。
【００３６】
図５（ｃ）に表した例は、第１方向Ｄ１及び第２方向Ｄ２のほか、第３方向Ｄ３の空気流路３５０を備えた例である。複数の突起３５のレイアウトによって、第１方向Ｄ１、第２方向Ｄ２及び第３方向Ｄ３のそれぞれに空気流路３５０が構成される。
【００３７】
第１方向Ｄ１を例えばＺ方向、第２方向Ｄ２を例えばＸ方向または例えばＹ方向にすることで、垂直保持及び水平保持のいずれの場合においても空気が流れやすくなる。また、第３方向Ｄ３を、Ｘ方向、Ｙ方向及びＺ方向以外の方向にすることで、第３方向Ｄ３を上下にして照明装置１１０を取り付けた場合の冷却性が高まる。
【００３８】
図５（ｄ）に表した例は、第１方向Ｄ１、第２方向Ｄ２、第３方向Ｄ３、第４方向Ｄ４及び第５方向Ｄ５のそれぞれに空気流路３５０を備えた例である。複数の突起３５のレイアウト（例えば、不規則なレイアウト）によって、様々な方向に空気流路３５０が構成される。これにより、どのような方向に照明装置１１０が取り付けられても、上下方向に近い方向の空気流路３５０によって効率良く空気が流れる。したがって、照明装置１１０の冷却性において、取り付け方向の依存性が弱まる。
【００３９】
図６（ａ）〜（ｃ）は、光源ユニットのレイアウトを例示する模式図である。
図６（ａ）には、軸ａｘを中心とした周回ＲＤの上に３つの光源ユニット３０が配置された例が表される。図６（ｂ）には、軸ａｘを中心とした周回ＲＤの上に４つの光源ユニット３０が配置された例が表される。図６（ｃ）には、軸ａｘを中心とした周回ＲＤの上に６つの光源ユニット３０が配置された例が表される。いずれの配置でも、互いに隣り合う２つの光源ユニット３０の間に隙間ｄが設けられている。
【００４０】
光源ユニット３０の個数は、３つ、４つ及び６つに限定されない。複数の光源ユニット３０が軸ａｘを中心として周回ＲＤの上に配置されると、複数の光源ユニット３０で囲まれる領域ＳＲが発生する。空気は、互いに隣り合う２つの光源ユニット３０の間に設けられた隙間ｄから領域ＳＲに流れ込む。隙間ｄが設けられていることで、空気は領域ＳＲの外側から内側に容易に流れ込む。領域ＳＲに流れ込んだ空気は、例えば図５（ａ）〜（ｄ）に表した空気流路３５０を通過して上から抜ける。
【００４１】
図７（ａ）〜（ｃ）は、光源ユニットのレイアウトを例示する模式図である。
図７（ａ）に表した例は、複数の光源ユニット３０のそれぞれが、軸ａｘに平行に配置された例である。図７（ｂ）及び（ｃ）に表した例は、複数の光源ユニット３０のそれぞれが、軸ａｘに非平行に配置された例である。
【００４２】
図７（ｂ）のレイアウトでは、口金１０からＺ方向に離れるに従い、軸ａｘと光源ユニット３０との距離が近くなる。図７（ｂ）のレイアウトでは、図７（ａ）のレイアウトに比べて口金１０の上側の照度が高くなる。図７（ｃ）のレイアウトでは、口金１０からＺ方向に離れるに従い、軸ａｘと光源ユニット３０との距離が遠くなる。図７（ｃ）のレイアウトでは、図７（ａ）のレイアウトに比べて口金１０の下側の照度が高くなる。
【００４３】
このように、光源ユニット３０のレイアウトは、照明装置１１０の用途に応じて適宜設定される。
【００４４】
図８（ａ）〜（ｄ）は、突起を例示する模式図である。
図８（ａ）〜（ｄ）には、軸ａｘに沿った方向にみて、複数の突起３５が交差しない例が表されている。すなわち、図８（ａ）〜（ｄ）に表した例では、複数の光源ユニット３０のうち任意の１つの光源ユニット３０の複数の突起３５は、他の光源ユニット３０の複数の突起３５と、軸ａｘに沿った方向にみて交差しない。
【００４５】
図８（ａ）に表した例では、複数の光源ユニット３０のそれぞれにおいて、複数の突起３５の高さが揃っている。
図８（ｂ）に表した例では、複数の光源ユニット３０のそれぞれにおいて、隣り合う光源ユニット３０に最も近い突起３５の高さが、他の突起３５の高さよりも低くなっている。
図８（ｃ）に表した例では、複数の光源ユニット３０のそれぞれにおいて、台座部３１の中央から外側に向けて突起３５の高さが徐々に低くなっている。
図８（ｄ）に表した例では、複数の光源ユニット３０のそれぞれにおいて、台座部３１の中央部分に突起３５が集中している。
【００４６】
次に、突起の具体例について説明する。
図９（ａ）及び（ｂ）は、突起を例示する模式図である。
図９（ａ）には、軸ａｘに沿った方向にみて、複数の突起３５が交差しない例が表されている。図９（ａ）には、軸ａｘに沿った方向にみた突起の模式的平面図が表されている。図９（ｂ）には、図９（ａ）に示す突起３５の形状を例示する斜視図が表されている。
【００４７】
図９（ａ）及び（ｂ）に表した例では、複数の光源ユニット３０のそれぞれにおいて、隣り合う２つの光源ユニット３０のうち一方の光源ユニット３０について、複数の突起３５のうち他方の光源ユニット３０に最も近い突起３５の高さが、他の突起３５の高さよりも低くなっている。
【００４８】
複数の光源ユニット３０が配置された状態では、隣り合う２つの光源ユニット３０のうち一方の光源ユニット３０の低い突起３５の位置に、他方の光源ユニット３０の高い突起３５が配置される。両突起３５は互いに干渉しない。
【００４９】
図１０（ａ）〜（ｅ）は、突起を例示する模式図である。
図１０（ａ）〜（ｅ）には、軸ａｘに沿った方向にみて、複数の突起３５が交差する例が表されている。すなわち、図１０（ａ）〜（ｅ）に表した例では、複数の光源ユニット３０のうち任意の１つの光源ユニット３０の複数の突起３５は、この光源ユニット３０と隣り合う他の光源ユニット３０の複数の突起３５と、軸ａｘに沿った方向にみて交差する。
【００５０】
図１０（ａ）には、軸ａｘに沿った方向にみた突起の模式的平面図が表されている。
図１０（ａ）に表した例では、隣り合う２つの光源ユニット３０のそれぞれにおいて、複数の突起３５のうち隣り合う光源ユニット３０に最も近い突起３５が、軸ａｘに沿った方向にみて、互いに交差する。
【００５１】
図１０（ｂ）には、隣り合う２つの光源ユニット３０の模式的斜視図が表されている。図１０（ｃ）には、光源ユニット３０の第１面３１ａと直交する方向にみた模式的平面図が表されている。図１０（ｂ）及び（ｃ）に表した例では、隣り合う２つの光源ユニット３０のそれぞれにおいて、Ｚ方向に並ぶ複数の突起３５の列のうち、互いに最も近い列の複数の突起３５が、Ｚ方向に１本ずつ入れ違いになっている。
【００５２】
図１０（ｄ）には、隣り合う２つの光源ユニット３０の模式的斜視図が表されている。図１０（ｅ）には、光源ユニット３０の第１面３１ａと直交する方向にみた模式的平面図が表されている。図１０（ｄ）及び（ｅ）に表した例では、隣り合う２つの光源ユニット３０のそれぞれにおいて、Ｚ方向に並ぶ複数の突起３５の列のうち、互いに最も近い列の複数の突起３５が、Ｚ方向に２本ずつ入れ違いになっている。
【００５３】
図１１（ａ）〜（ｃ）は、突起を例示する模式図である。
図１１（ａ）〜（ｃ）には、軸ａｘに沿った方向にみて、複数の突起３５が交差する例が表されている。
図１１（ａ）には、軸ａｘに沿った方向にみた突起の模式的平面図が表されている。
図１１（ｂ）及び（ｃ）には、隣り合う２つの光源ユニット３０のうち一方の模式的斜視図が表される。
【００５４】
図１１（ｂ）に表した例では、光源ユニット３０のＺ方向に並ぶ複数の突起３５の列のうち、最も外側の第１の列の複数の突起３５の高さが、Ｚ方向に１本ずつ高い、低いを繰り返す構成になっている。また、第１の列とは反対の第２の列の複数の突起３５の高さが、Ｚ方向に１本ずつ低い、高いを繰り返す構成になっている。第１の列における複数の突起３５の高さ変化の位相は、第２の列における複数の突起３５の高さの変化の位相と反転している。
【００５５】
図１１（ｃ）に表した例では、光源ユニット３０のＺ方向に並ぶ複数の突起３５の列のうち、最も外側の第１の列の複数の突起３５の高さが、Ｚ方向に２本ずつ高い、低いを繰り返す構成になっている。また、第１の列とは反対の第２の列の複数の突起３５の高さが、Ｚ方向に２本ずつ低い、高いを繰り返す構成になっている。第１の列における複数の突起３５の高さ変化の位相は、第２の列における複数の突起３５の高さの変化の位相と反転している。
【００５６】
図１１（ｂ）及び（ｃ）のいずれの例においても、隣り合う２つの光源ユニット３０のそれぞれにおいて、Ｚ方向に並ぶ複数の突起３５の列のうち、互いに最も近い列において、一方側の低い突起３５が、他方側の高い突起３５と噛み合う状態になる。
【００５７】
図１２（ａ）〜（ｄ）は、突起を例示する模式図である。
図１２（ａ）〜（ｄ）には、軸ａｘに沿った方向にみて、複数の突起３５が交差する例が表されている。さらに、図１２（ａ）〜（ｄ）には、複数の光源ユニット３０のうち任意の１つの光源ユニット３０の複数の突起３５が、他の光源ユニット３０の複数の突起３５と連結している例が表されている。
【００５８】
図１２（ａ）には、軸ａｘに沿った方向にみた突起の模式的平面図が表される。図１２（ｂ）には、複数の光源ユニット３０が配置された状態を例示する模式的斜視図が表される。図１２（ｃ）には、隣り合う２つの光源ユニット３０が配置された状態を例示する模式的斜視図が表される。図１２（ｄ）には、１つの光源ユニット３０の模式的斜視図が表される。
【００５９】
図１２（ａ）〜（ｄ）に表した例では、複数の光源ユニット３０のうち、互いに向かい合う２つの光源ユニット３０の複数の突起３５が互いに連結している。また、突起３５は、軸ａｘに沿った方向に１段ずつ交互に配置される。互いに向かい合う２つの光源ユニット３０の間では、複数の突起３５を介して熱が拡散しやすくなる。
【００６０】
図１３（ａ）及び（ｂ）は、突起を例示する模式図である。
図１３（ａ）及び（ｂ）には、軸ａｘに沿った方向にみて、複数の突起３５が交差する例が表されている。図１３（ａ）に表した例は、軸ａｘに沿った方向に、突起３５が１段ずつ交互に配置されるとともに、１段ずつ交互に本数が異なっている。図１３（ｂ）には、軸ａｘに沿った方向に、突起３５が１段ずつ同じ本数で交互に配置される。
【００６１】
図１４（ａ）〜（ｄ）は、突起を例示する模式図である。
図１４（ａ）〜（ｄ）には、複数の光源ユニット３０のうち任意の１つの光源ユニット３０の複数の突起３５が、その光源ユニット３０と隣り合う他の光源ユニット３０の複数の突起３５と連結している例が表されている。図１４（ａ）〜（ｄ）に表した例では、４つの光源ユニット３０において互いに隣り合う２つの光源ユニット３０の間に複数の突起３５が２つの光源ユニット３０を連結するように設けられている。
【００６２】
図１４（ａ）には、軸ａｘに沿った方向にみて、突起の模式的平面図が表される。図１４（ｂ）には、複数の光源ユニット３０が配置された状態を例示する模式的斜視図が表される。図１４（ｃ）には、隣り合う２つの光源ユニット３０が配置された状態を例示する模式的斜視図が表される。図１４（ｄ）には、１つの光源ユニット３０の模式的斜視図が表される。
【００６３】
図１４（ｄ）に表したように、１つに光源ユニット３０には、その光源ユニット３０に隣り合う２つの光源ユニット３０のうち一方側のみに向けて複数の突起３５が延出している。図１４（ｃ）に表したように、互いに隣り合う２つの光源ユニット３０のうち、一方の光源ユニット３０の複数の突起３５が他方の光源ユニット３０に接触する状態になる。
【００６４】
図１４（ａ）及び（ｂ）に表したように、４つの光源ユニット３０を配置した場合には、それぞれの光源ユニット３０の複数の突起３５が、隣りの光源ユニット３０に接触し合うように設けられる。隣り合う２つの光源ユニット３０の間では、複数の突起３５を介して熱が拡散しやすくなる。
【００６５】
なお、図１２（ａ）〜図１４（ｄ）には、１つの光源ユニット３０の複数の突起３５が、他の光源ユニット３０の複数の突起３５と連結した構成を説明したが、１つの光源ユニット３０の突起３５が、他の光源ユニット３０の台座部３１と連結した構成でもよい。また、１つの光源ユニット３０の台座部３１と、他の光源ユニット３０の台座部３１とが、突起３５を介して接続された構成でもよい。
【００６６】
図８（ａ）〜図１４（ｄ）に種々の突起３５の具体例を表した。突起３５の配置、形状、本数などは、照明装置１１０の放熱性能を考慮して適宜設定される。
【００６７】
表１は、保持姿勢による基板温度の変化について示すシミュレーション結果である。
【００６８】
【表１】
2014167896.tif 000003
【００６９】
表１では、図９（ａ）及び（ｂ）に表したような突起３５を有する照明装置と、空気流路がＺ方向のみに設けられた板状の突起を有する照明装置と、において、それぞれ垂直保持及び水平保持した場合の基板３２２の温度上昇の比率を表している。表１では、板状の突起を有する照明装置を垂直保持した場合の基板温度を１としている。この板状の突起を有する照明装置を水平保持した場合、基板温度の上昇の比率は１．１４になる。
【００７０】
一方、突起３５を有する照明装置を垂直保持した場合の基板温度の上昇の比率は１．０１であり、板状の突起を有する照明装置を垂直保持した場合と同等である。また、突起３５を有する照明装置を水平保持した場合の基板温度の上昇の比率は１．０４である。つまり、突起３５を有する照明装置では、垂直保持及び水平保持のいずれにおいても基板温度の上昇に大きな相違は生じない。
【００７１】
また、突起３５を有する照明装置を水平保持した場合、板状の突起を有する照明装置を水平保持した場合に比べて温度上昇が約８％減少する。すなわち、突起３５を有する照明装置では、保持姿勢による温度の変化が抑制される。
【００７２】
図１５（ａ）〜（ｈ）は、台座部を例示する模式図である。
図１５（ａ）〜（ｈ）に表した台座部３１においては、台座部３１の軸ａｘと直交する方向の幅Ｗが、第２面３１ｂから第１面３１ａに向かう方向に狭くなる。図１５（ａ）〜（ｈ）には、Ｚ方向にみた台座部３１の模式的平面図が表されている。台座部３１の幅Ｗの方向は、例えばＸ方向である。
【００７３】
図１５（ａ）に表した例では、Ｚ方向にみた台座部３１の形状が台形状になっている。図１５（ｂ）に表した例では、Ｚ方向にみて台座部３１の隅部にＣ面取りが設けられている。図１５（ｃ）に表した例では、Ｚ方向にみて台座部３１の側面が曲面になっている。図１５（ｄ）に表した例では、Ｚ方向にみて台座部３１の隅部にＲ面取りが設けられている。図１５（ｅ）に表した例では、Ｚ方向にみた台座部３１の形状が三角形状になっている。図１５（ｆ）に表した例では、Ｚ方向にみた台座部３１の形状が五角形状になっている。図１５（ｇ）に表した例では、Ｚ方向にみた台座部３１の第１面３１ａが円弧状になっている。図１５（ｈ）に表した例では、Ｚ方向にみた台座部３１の第１面３１ａが凸型の曲面になっている。
【００７４】
照明装置１１０では、複数の光源ユニット３０を軸ａｘを中心とした周回の上に沿って配置した場合、隣り合う光源ユニット３０の間に隙間ｄ（図６（ａ）〜（ｃ）参照）が設けられる。図１５（ａ）〜（ｈ）に表したような台座部３１を用いると、この隙間ｄの間隔が、照明装置１１０の外側から内側に向けて拡がるようになる。したがって、照明装置１１０の外側から隙間ｄを介して空気がスムーズに流れ込み、冷却効果が高まる。
【００７５】
図１６（ａ）〜（ｇ）は、突起の形状を例示する模式図である。
図１６（ａ）〜（ｇ）には、突起３５を延出方向からみた模式的な平面図が表されている。図１６（ａ）〜（ｃ）は、矩形状の突起３５の例である。図１６（ａ）には、正方形状の突起３５が表されている。図１６（ｂ）及び（ｃ）には、長方形状の突起３５が表されている。図１６（ｄ）には、円形状の突起３５が表されている。図１６（ｅ）及び（ｆ）には、楕円形状または長円形状の突起３５が表されている。
【００７６】
突起３５は、このように種々の形状が考えられる。ここで、図１６（ｂ）、（ｃ）、（ｅ）及び（ｆ）に表したように、長軸及び短軸を有する形状の場合、図１６（ｇ）に表したように、空気を流れやすくしたい方向に長軸を合わせることが望ましい。
【００７７】
図１７（ａ）及び（ｂ）は、熱の流れを例示する模式図である。
図１７（ａ）には、隣り合う２つの光源ユニット３０の間に複数の突起３５が連結している例が表される。図１７（ａ）では、照明装置１１０を水平保持した状態の熱の流れが表される。水平保持の場合、上側の光源ユニット３０が高温になりやすい。
【００７８】
光源ユニット３０で発生した熱は、台座部３１から突起３５を介して隣りの光源ユニット３０の台座部３１に伝わる。水平保持の場合、温度の高い上側の光源ユニット３０から温度の低い他の光源ユニット３０へ熱が伝わる。熱の分散によって照明装置１１０の熱の偏りが抑制される。
【００７９】
図１７（ｂ）には、隣り合う光源ユニット３０の間に設けられた隙間ｄから空気が流れ込む様子が表されている。図１７（ｂ）では、照明装置１１０を水平保持した状態の空気の流れが表される。空気は、照明装置１１０の下側の隙間ｄから照明装置１１０の内側に入り込み、上側の隙間ｄから外側へ排出される。空気は、照明装置１１０の内側を流れる際、複数の突起３５に触れる。これにより、突起３５から空気に熱が伝わり、照明装置１１０が冷却される。
【００８０】
図１８（ａ）及び（ｂ）は、台座部を例示する模式図である。
図１８（ａ）及び（ｂ）に表した例では、台座部３１に第１部分３１０ａと、第２部分３１０ｂとが設けられている。第１部分３１０ａは、軸ａｘと直交する方向に第１の幅Ｗ１を有する。第２部分３１０ｂは、軸ａｘと直交する方向に第１の幅Ｗ１よりも狭い第２の幅Ｗ２を有する。図１８（ａ）に表した例では、Ｚ方向に複数の第２部分３１０ｂが設けられる。図１８（ｂ）に表した例では、Ｚ方向に２つの第２部分３１０ｂが設けられる。
【００８１】
このように、幅の異なる部分を有する台座部３１を用いることで、隣り合う光源ユニット３０の間に設けられる隙間ｄを拡げることができる。これにより、隙間ｄから照明装置１１０の内部へ効率良く空気が流れ込むことになる。
【００８２】
図１９（ａ）及び（ｂ）は、取り付け構造を例示する模式的斜視図である。
図１９（ａ）には、複数の光源ユニット３０を互いに固定した状態が表される。図１９（ｂ）には、光源ユニット３０の取り付け構造が表される。
【００８３】
図１９（ｂ）に表したように、台座部３１は、第１突出部ｐｔ１と、第２突出部ｐｔ２とを有する。第１突出部ｐｔ１は、第１面３１ａに設けられ第１面３１ａから突出する。第１突出部ｐｔ１は、例えば第１面３１ａと直交する方向や第１面３１ａから斜め方向に突出する。第２突出部ｐｔ２は、第１面３１ａに設けられ第１面３１ａから突出する。第２突出部ｐｔ２は、例えば第１面３１ａと直交する方向や第１面３１ａから斜め方向に突出する。第１突出部ｐｔ１は、台座部３１の一方の側面に近い側に設けられ、第２突出部ｐｔ２は、台座部３１の他方の側面に近い側に設けられる。
【００８４】
複数の光源ユニット３０のうち任意の１つの光源ユニット３０の第１突出部ｐｔ１は、その光源ユニットと隣り合う他の光源ユニット３０の第２突出部ｐｔ２と、例えばねじによって締結される。第１突出部ｐｔ１の下面ｓ１の高さ（台座部３１の上端ｕｆからの距離）は、第２突出部ｐｔ２の上面ｓ２の高さ（台座部３１の上端ｕｆからの距離）とほぼ等しい。
【００８５】
例えば、４つの光源ユニット３０Ａ〜３０Ｄが配置される場合、光源ユニット３０Ａの第１突出部ｐｔ１は、光源ユニット３０Ａの隣りの光源ユニット３０Ｂの第２突出部ｐｔ２と重ね合わされ、ねじによって締結される。光源ユニット３０Ｂの第１突出部ｐｔ１は、光源ユニット３０Ｂの隣りの光源ユニット３０Ｃの第２突出部ｐｔ２と重ね合わされ、ねじによって締結される。光源ユニット３０Ｃの第１突出部ｐｔ１は、光源ユニット３０Ｃの隣りの光源ユニット３０Ｄの第２突出部ｐｔ２と重ね合わされ、ねじによって締結される。光源ユニット３０Ｄの第１突出部ｐｔ１は、光源ユニット３０Ｄの隣りの光源ユニット３０Ａの第２突出部ｐｔ２と重ね合わされ、ねじによって締結される。
【００８６】
このように、周回の上の４つの光源ユニット３０Ａ〜３０Ｄは、互いに隣り合う光源ユニットの一方側の第１突出部ｐｔ１と他方側の第２突出部ｐｔ２とが締結される。これにより、４つの光源ユニット３０Ａ〜３０Ｄが互いに支持し合うように固定される。
【００８７】
ここで、第１突出部ｐｔ１の下面ｓ１の高さを、第２突出部ｐｔ２の上面ｓ２の高さとほぼ等しくしておくと、４つの光源ユニット３０Ａ〜３０Ｄを固定した際、それぞれの上端ｕｆの位置が揃うようになる。
【００８８】
図２０（ａ）及び（ｂ）は、取り付け構造を例示する模式的平面図である。
図２０（ａ）には、第１面３１ａに設けられた第１突出部ｐｔ１及び第２突出部ｐｔ２を用いて４つの光源ユニット３０Ａ〜３０Ｄを固定した状態が表される。図２０（ｂ）には、４つの光源ユニット３０Ａ〜３０Ｄのそれぞれの上端部で固定した状態が表される。
【００８９】
図２０（ａ）及び（ｂ）において、Ｚ方向にみたとき同じ外径ｒ１の内側に４つの光源ユニット３０Ａ〜３０Ｄを配置する場合、図２０（ａ）に表した取り付け構造では、図２０（ｂ）に表した取り付け構造よりも幅の広い台座部３１を用いることができる。
【００９０】
すなわち、図２０（ａ）に表した取り付け構造では、第１面３１ａに設けられた第１突出部ｐｔ１及び第２突出部ｐｔ２を用いて４つの光源ユニット３０Ａ〜３０Ｄが固定されるため、第１突出部ｐｔ１及び第２突出部ｐｔ２の外側に光源ユニット３０Ａ〜３０Ｄが配置される。
【００９１】
一方、図２０（ｂ）に表した取り付け構造では、取り付け部分のスペースを確保するため、その分、台座部３１の幅が狭くなる。したがって、図２０（ａ）に表した取り付け構造を採用することで、図２０（ｂ）に表した取り付け構造に比べ、同じ外径ｒ１であっても幅の広い台座部３１を用いることができ、放熱性を高めることができる。
【００９２】
図２１（ａ）〜（ｃ）は、取り付け構造を例示する模式図である。
図２１（ａ）には、台座部３１の上端側の模式的斜視図が表されている。図２１（ａ）に表した台座部３１には、第２突出部ｐｔ２の付け根に切り欠き部３１ｃが設けられている。切り欠き部３１ｃの上面は、第２突出部ｐｔ２の上面と同一面である。このような切り欠き部３１ｃが設けられていることで、隣り合う２つの光源ユニット３０の取り付け角度に自由度が生じる。
【００９３】
図２１（ｂ）には、５つの光源ユニット３０が取り付けられた例が表される。図２１（ｃ）には、６つの光源ユニット３０が取り付けられた例が表される。切り欠き部３１ｃが設けられることで、第２突出部ｐｔ２の上に第１突出部ｐｔ１を重ね合わせた状態で、第２突出部ｐｔ２に対する第１突出部ｐｔ１の角度を変えても第１突出部ｐｔ１が第２突出部ｐｔ２と干渉しなくなる。したがって、同じ取り付け構造であっても、隣り合う２つの光源ユニット３０の取り付け角度が自由に設定される。
【００９４】
なお、図２１（ａ）〜（ｃ）には、４つ、５つ及び６つの光源ユニット３０を取り付ける例を表したが、３つ以上の光源ユニット３０を取り付ける場合であれば同様である。
【００９５】
図２２（ａ）及び（ｂ）は、グローブを例示する模式図である。
図２２（ａ）には、照明装置１１０にグローブを取り付けた状態を示す模式的斜視図が表される。図２２（ｂ）には、グローブの取り付け部分を拡大した模式的斜視図が表される。図２２（ａ）及び（ｂ）に表したように、グローブ３４は、台座部３１の周縁部に設けられた突起３１ｔと嵌合する。グローブ３４の周縁には、突起３１ｔと嵌合する穴部３４ｈが設けられる。
【００９６】
突起３１ｔは、台座部３１の例えば上面及び側面に設けられる。穴部３４ｈは、これらの突起３１ｔの位置に合わせてグローブ３４の周縁に配置される。台座部３１の２つの側面のうち一方の側面に設けられた突起３１ｔの位置は、他方の側面に設けられた突起３１ｔの位置とずれている。すなわち、隣り合う２つの光源ユニット３０において、突起３１ｔがＺ方向に互い違いに配置される。また、グローブ３４の２つの側面のうち一方の側面に設けられた穴部３４ｈの位置は、他方の側面に設けられた穴部３４ｈの位置とずれている。すなわち、隣り合う２つの光源ユニット３０において、穴部３４ｈがＺ方向に互い違いに配置される。これにより、隣り合う２つの光源ユニット３０の間において、互いのグローブ３４の取り付け部が干渉しなくなる。
【００９７】
図２３（ａ）及び（ｂ）は、グローブを例示する模式図である。
図２３（ａ）には、グローブの形状を例示する一部破断の模式的斜視図が表される。図２３（ｂ）には、グローブの形状を例示するＺ方向にみた模式的断面図が表される。図２３（ａ）及び（ｂ）に表したように、グローブ３４は、軸ａｘの沿った方向からみて、台座部３１の周縁部よりも外側に膨らんだ部分３４１を有する。例えば、グローブ３４は、台座部３１の上端面、下端面及び側面のそれぞれよりも外側に膨らんだ部分３４１を有する。
【００９８】
グローブ３４の材料として拡散度を高くした材料を用いた場合でも、グローブ３４の後方で拡散した光が、台座部３１よりも外側に膨らんだ部分３４１から外側に放出される。このため、光取り出し効率を損なうことなく、グローブ３４の全体が光ることになる。したがって、照明装置１１０の非点灯部分が少なくなる。
【００９９】
図２４は、支持体の他の例について例示する模式的斜視図である。
図２４に表した支持体２０は、放熱突起２３を有する。放熱突起２３は、支持体２０の例えば取り付け部２２の上面２２ｕから突出して設けられる。取り付け部２２の上面２２ｕは、複数の光源ユニット３０によって囲まれる領域であるため、複数の光源ユニット３０から放出される熱が蓄積されやすい。この上面２２ｕに放熱突起２３を設けることで、支持体２０の放熱性が向上する。なお、放熱突起２３の形状は、図示するものに限定されない。
【０１００】
（第２の実施形態）
図２５（ａ）及び（ｂ）は、第２の実施形態に係る照明装置を例示する模式図である。
図２５（ａ）には、第２の実施形態に係る照明装置１２０の模式的斜視図が表される。図２５（ｂ）には、第２の実施形態に係る照明装置１２０の模式的平面図が表される。
図２６は、光源ユニットを例示する模式的斜視図である。
図２７は、光源ユニットの取り付けを例示する模式的断面図である。
【０１０１】
図２５（ａ）に表したように、第２の実施形態に係る照明装置１２０は、口金１０と、支持体２０と、複数の光源ユニット３０と、を備える。複数の光源ユニット３０のそれぞれは、台座部３１と、発光部３２と、複数の突起３５とを含む。
【０１０２】
照明装置１２０において、支持体２０は、軸ａｘを中心とした内周部２１１と、軸ａｘを中心とし内周部２１１の外側に設けられた外周部２１２と、を含む。内周部２１１と外周部２１２との間には隙間２１０が設けられる。複数の光源ユニット３０のそれぞれは、内周部２１１と外周部２１２との間に設けられた隙間２１０に挿入される。
【０１０３】
図２５（ｂ）及び図２６に表したように、複数の光源ユニット３０のそれぞれにおいて、台座部３１は第２面３１ｂに設けられた凸部３１５を有する。図２７に表したように、外周部２１２は、軸ａｘを中心とした周回に沿う第１溝部２１２ａを有する。光源ユニット３０を支持体２０に取り付けるには、凸部３１５を第１溝部２１２ａに嵌合させる。
【０１０４】
図２５（ｂ）に表したように、外周部２１２は、外周部２１２の上端から第１溝部２１２ａまで連通する第２溝部２１２ｂを有する。第２溝部２１２ｂの幅は、凸部３１５の幅よりもわずかに広い。
【０１０５】
光源ユニット３０を支持体２０に取り付けるには、先ず、凸部３１５を第２溝部２１２ｂに合わせて挿入する。その後、第１溝部２１２ａの位置まで凸部３１５を挿入した状態で、凸部３１５を第１溝部２１２ａにスライドさせる。凸部３１５が第１溝部２１２ａに沿ってスライドすることにより、光源ユニット３０が内周部２１１と外周部２１２との間の隙間２１０に沿って移動することになる。
【０１０６】
隙間２１０に挿入される台座部３１の下部において、第１面３１ａは内周部２１１の曲面に沿った凹曲面になっていることが望ましい。また、隙間２１０に挿入される台座部３１の下部において、第２面３１ｂは外周部２１２の曲面に沿った凸曲面になっていることが望ましい。これにより、光源ユニット３０のスムーズな回転と、支持体２０による光源ユニット３０の確実な支持が行われる。
【０１０７】
複数の光源ユニット３０のそれぞれは、円周上の隙間２１０の任意の位置に挿入される。図２５（ａ）及び（ｂ）に表したように、照明装置１２０では、複数の光源ユニット３０が隙間２１０の全周のうち一部に偏って配置される。なお、複数の光源ユニット３０は、隙間２１０の全周に均等に配置されてもよい。
【０１０８】
図２７に表したように、台座部３１には、発光部３２と導通する電極ＴＭ１及びＴＭ２を有する。電極ＴＭ１は、例えば正極、電極ＴＭ２は、例えば負極である。外周部２１２には、電極ＴＭ１及びＴＭ２とそれぞれ接し、口金１０と導通する電極ＴＭ１１及びＴＭ２１を有する。電極ＴＭ１１及びＴＭ２１は、外周部２１２の内周面に沿って設けられる。内周部２１１と外周部２１２との隙間２１０のどの位置に光源ユニット３０が配置されても、電極ＴＭ１及びＴＭ２と、電極ＴＭ１１及びＴＭ２１とが接触して、口金１０と発光部３２との導通が得られる。
【０１０９】
図２８（ａ）〜（ｃ）は、光源ユニットの取り付け状態を例示する模式図である。
図２８（ａ）〜（ｃ）には、Ｚ方向にみた光源ユニットのレイアウトが表される。図２８（ａ）には、６つの光源ユニット３０が均等にレイアウトされた状態が表される。図２８（ｂ）には、８つの光源ユニット３０が均等にレイアウトされた状態が表される。図２８（ｃ）には、４つの光源ユニット３０が偏って（非均等に）レイアウトされた状態が表される。
【０１１０】
図２８（ａ）及び（ｂ）に表したように、複数の光源ユニット３０が均等にレイアウトされた状態では、照明装置１２０の全周のわたり光が放出される。一方、図２８（ｃ）に表したように、複数の光源ユニット３０が偏ってレイアウトされた状態では、光源ユニット３０が配置された方向に強く光が放出される。
【０１１１】
図２９（ａ）〜（ｃ）は、光の反射について例示する模式図である。
図２９（ａ）〜（ｃ）には、照明装置を水平保持した状態が表される。図２９（ａ）には、照明装置１２０を水平保持した状態を軸ａｘと直交する方向からみた模式的断面図が表される。図２９（ｂ）には、照明装置１２０を水平保持した状態を軸ａｘに沿った方向からみた模式的断面図が表される。図２９（ｃ）には、照明装置１９０を水平保持した状態を軸ａｘに沿った方向からみた模式的断面図が表される。
【０１１２】
照明装置１９０には、複数の光源ユニット３０が均等に配置されている。照明装置１２０及び１９０のいずれについても、４つの光源ユニット３０Ａ〜３０Ｄが設けられる。また、照明装置１２０及び１９０のいずれについても、照明装置１２０及び１９０の上側に反射部材２００が設けられる。
【０１１３】
図２９（ｃ）に表したように、照明装置１９０において、下側の２つの光源ユニット３０Ｃ及び３０Ｄから放出された光は直接下側に向かう。一方、上側の２つの光源ユニット３０Ａ及び３０Ｂから放出された光は上側に設けられた反射部材２００で反射した後に下側に向かう。したがって、下側２つの光源ユニット３０Ｃ及び３０Ｄに比べ、上側２つの光源ユニット３０Ａ及び３０Ｂのロスが大きい。
【０１１４】
また、照明装置１９０では、４つの光源ユニット３０Ａ〜３０Ｄから放出された熱が下から上に自然対流して、反射部材２００の下に熱に蓄積される。このため、上側２つの光源ユニット３０Ａ及び３０Ｂの温度は、下側２つの光源ユニット３０Ｃ及び３０Ｄの温度に比べて高くなりやすい。
【０１１５】
一方、図２９（ａ）及び（ｂ）に表したように、照明装置１２０において、４つの光源ユニット３０Ａ〜３０Ｄから放出された光のほとんどは、直接下側に向かう。また、４つの光源ユニット３０Ａ〜３０Ｄが全て下側に設けられているため、反射部材２００の下に熱に蓄積されても、４つの光源ユニット３０Ａ〜３０Ｄはその熱の影響を受けにくい。
【０１１６】
図３０は、光源ユニットを例示する模式的斜視図である。
図３１（ａ）及び（ｂ）は、光源ユニットの取り付け構造を例示する模式図である。
図３１（ａ）は、取り付けリングの例を表した模式的斜視図である。図３１（ｂ）は、取り付け状態を例示する模式的断面図である。
【０１１７】
図３０に表した光源ユニット３０は、照明装置１２０に用いられる光源ユニット３０の例である。図３０に表した光源ユニット３０の上端ｕｆには第１面３１ａ側に突出した取り付け部３１７が設けられる。取り付け部３１７には穴３１７ｈが設けられる。
【０１１８】
図３１（ａ）に表したように、取り付けリング３００には、複数の孔３００ｈが設けられる。図３１（ｂ）に表したように、複数の光源ユニット３０が内周部２１１と外周部２１２との隙間２１０に挿入された状態で、複数の光源ユニット３０は取り付けリング３００によって固定される。すなわち、複数の光源ユニット３０のそれぞれの取り付け部３１７と、取り付けリング３００の孔３００ｈとが、ねじ３０１を介して締結される。
【０１１９】
取り付けリング３００には、複数の光源ユニット３０のそれぞれの配置に合わせた孔３００ｈが設けられる。各光源ユニット３０の配置に合わせた孔３００ｈに、光源ユニット３０の取り付け部３１７をねじ３０１によって固定することで、軸ａｘを中心とした周回の上の所定の位置に複数の光源ユニット３０のそれぞれが固定される。
【０１２０】
なお、取り付けリング３００によって複数の光源ユニット３０を固定した状態において、取り付けリング３００を軸ａｘを中心に回転させてもよい。これにより、複数の光源ユニット３０の相対的な位置関係を保ったまま、複数の光源ユニット３０の全体が支持体２０に対して回転する。例えば、照明装置１２０の口金１０をソケット（図示せず）にねじ込みによって取り付けた後、取り付けリング３００を回転させて光源ユニット３０を所望の向きに調整してもよい。
【０１２１】
図３２は、光源ユニットを例示する模式的斜視図である。
図３３（ａ）及び（ｂ）は、光源ユニットの取り付け構造を例示する模式図である。
図３３（ａ）は、内周部２１１の例を表した模式的斜視図である。図３３（ｂ）は、取り付け状態を例示する模式的断面図である。
【０１２２】
図３２に表したように、この光源ユニット３０においては、台座部３１に図３０に表したような凸部３１５が設けられていない。図３２に表した光源ユニット３０では、台座部３１の下側に取り付け部３１８が設けられる。取り付け部３１８は、台座部３１の第１面３１ａから、第１面３１ａと垂直な方向に延出する。取り付け部３１８には穴３１８ｈが設けられる。台座部３１の第１面３１ａの下側には、電極ＴＭ１及びＴＭ２が設けられる。
【０１２３】
図３３（ａ）に表したように、内周部２１１の外周面には電極ＴＭ１１及びＴＭ２１が設けられる。また、内周部２１１の上面には、円周状に取り付け溝２１１ｇが設けられる。
【０１２４】
図３３（ｂ）に表したように、複数の光源ユニット３０は、内周部２１１と外周部２１２との間に設けられた隙間２１０に挿入される。光源ユニット３０を隙間２１０に挿入すると、台座部３１の電極ＴＭ１及びＴＭ２は、内周部２１１の外周面に設けられた電極ＴＭ１１及びＴＭ２１と接する。
【０１２５】
光源ユニット３０を隙間２１０に挿入すると、取り付け部３１８の下面が内周部２１１の上面と接する。取り付け部３１８の下面が内周部２１１の上面と接した状態で、穴３１８にねじ３０１を挿入して取り付け溝２１１ｇにねじ３０１を固定する。これにより、光源ユニット３０は隙間２１０の所定位置に固定される。光源ユニット３０は、取り付け溝２１１ｇに沿った周回上の任意の位置に固定される。
【０１２６】
図３４（ａ）及び（ｂ）は、治具について例示する模式図である。
図３０〜図３３（ｂ）に表したような取り付け構造を用いない場合、複数の光源ユニット３０は、隙間２１０に沿って移動可能である。そこで、図３４（ａ）に表したように、隙間２１０において複数の光源ユニット３０が設けられていない部分に、第１治具２１３を設けるようにしてもよい。
【０１２７】
第１治具２１３には、凸部２１３ｔを設けてもよい。凸部２１３ｔの幅は、第２溝部２１２ｂの幅よりもわずかに狭い。凸部２１３ｔを第２溝部２１２ｂに合わせて挿入した後、第１溝部２１２ａに沿ってスライドさせる。これにより、隙間２１０のうち複数の光源ユニット３０が設けられていない部分に第１治具２１３が嵌め込まれる。第１治具２１３を隙間２１０の嵌め込むと、複数の光源ユニット３０及び第１治具２１３によって隙間２１０の全周が埋まり、複数の光源ユニット３０の相対的な位置がずれなくなる。
【０１２８】
また、図３４（ｂ）に表したように、第２溝部２１２ｂに第２治具２１４を配置してもよい。第２治具２１４の幅は、第２溝部２１２ｂの幅とほぼ同じである。第２治具２１４を第２溝部２１２ｂに嵌め込むと、複数の光源ユニット３０や第１治具２１３の支持体２０からの抜けが防止される。
【０１２９】
本実施形態は、以下の態様を含む。
【０１３０】
（付記１）
口金と、
前記口金に接続された支持体と、
前記支持体に取り付けられ前記口金の軸を中心とした周回の上に沿って配置された複数の光源ユニットであって、前記複数の光源ユニットのそれぞれは、
前記支持体と接する第１面と、前記第１面とは反対側の第２面と、を有する台座部と、
前記台座部の前記第２面に取り付けられた発光部と、
前記台座部の前記第１面に設けられ複数の突起と、を含み、
前記複数の突起の間に、前記第１面に沿った第１方向及び前記第１面に沿い前記第１方向と非平行な第２方向のそれぞれに連通した空気流路が設けられた照明装置。
【０１３１】
（付記２）
前記第１方向は、前記軸に沿った方向であり、
前記第２方向は、前記軸と直交する方向である付記１記載の照明装置。
【０１３２】
（付記３）
前記複数の突起は、前記第１面の前記第１方向及び前記第２方向にマトリクス状に配置された付記１または２に記載の照明装置。
【０１３３】
（付記４）
前記複数の光源ユニットおいて、互いに隣り合う２つの前記光源ユニットの間に隙間が設けられた付記１〜３のいずれか１つに記載の照明装置。
【０１３４】
（付記５）
前記台座部の前記軸と直交する方向の幅は、前記第２面から前記第１面に向かう方向に狭くなる付記１〜４のいずれか１つに記載の照明装置。
【０１３５】
（付記６）
前記複数の光源ユニットのうち第１の光源ユニットの前記複数の突起は、第２の光源ユニットの前記複数の突起と、前記軸に沿った方向にみて交差しない付記１〜５のいずれか１つに記載の照明装置。
【０１３６】
（付記７）
前記複数の光源ユニットのうち第１の光源ユニットの前記複数の突起は、前記第１の光源ユニットと隣り合う第２の光源ユニットの突起と、前記軸に沿った方向にみて交差する付記１〜５のいずれか１つに記載の照明装置。
【０１３７】
（付記８）
前記複数の光源ユニットのうち第１の光源ユニットの前記複数の突起は、第２の光源ユニットの前記複数の突起と連結した付記１〜５のいずれか１つに記載の照明装置。
【０１３８】
（付記９）
前記複数の光源ユニットのうち第１の光源ユニットの前記複数の突起は、第２の光源ユニットの前記台座部と連結した付記１〜５のいずれか１つに記載の照明装置。
【０１３９】
（付記１０）
前記台座部は、第１部分と、第２部分と、を有し、
前記第１部分は、前記軸と直交する方向に第１の幅を有し、
前記第２部分は、前記軸と直交する方向に前記第１の幅よりも狭い第２の幅を有する付記１〜９のいずれか１つに記載の照明装置。
【０１４０】
（付記１１）
前記台座部は、
前記第１面に設けられ前記第１面から突出した第１突出部と、
前記第１面に設けられ前記第１面から突出した第２突出部と、を有し、
前記複数の光源ユニットのうち第１の光源ユニットの前記第１突出部は、前記第１の光源ユニットと隣り合う第２の光源ユニットの前記第２突出部と締結された付記１〜１０のいずれか１つに記載の照明装置。
【０１４１】
（付記１２）
前記台座部の端面から前記第１突出部の下面までの距離は、前記端面から前記第２突出部の上面までの距離と等しい付記１１記載の照明装置。
【０１４２】
（付記１３）
前記複数の光源ユニットにおいて、互いに隣り合う２つの前記光源ユニットのうち一方の前記光源ユニットの前記第１突出部は、他方の前記光源ユニットの前記第２突出部と締結された付記１２記載の照明装置。
【０１４３】
（付記１４）
前記突起は、前記第２面から前記第１面に向かう方向に設けられたねじ孔を有する付記１〜１３のいずれか１つに記載の照明装置。
【０１４４】
（付記１５）
前記ねじ孔は、前記突起を貫通しない付記１４記載の照明装置。
【０１４５】
（付記１６）
前記台座部の周縁部に設けられた接続部により取り付けられたグローブをさらに備えた付記１〜１５のいずれか１つに記載の照明装置。
【０１４６】
（付記１７）
前記複数の光源ユニットにおいて、互いに隣り合う２つの前記光源ユニットの間で、前記グローブを前記台座部に取り付ける取り付け部が、前記軸に沿った方向に互い違いに配置された付記１６記載の照明装置。
【０１４７】
（付記１８）
前記グローブは、前記軸に沿った方向からみて前記台座部の前記周縁部よりも外側に膨らんだ部分を有する付記１６または１７に記載の照明装置。
【０１４８】
（付記１９）
前記支持体に前記光源ユニットが固定された状態で、前記支持体と前記光源ユニットとの間に隙間が設けられた付記１〜１８のいずれか１つに記載の照明装置。
【０１４９】
（付記２０）
前記支持体は、放熱突起を有する付記１〜１９のいずれか１つに記載の照明装置。
【０１５０】
（付記２１）
前記支持体は、
前記軸を中心とした内周部と、
前記軸を中心とし前記内周部の外側に設けられた外周部と、を含み、
前記複数の光源ユニットのそれぞれは、前記内周部と前記外周部との間に取り付けられた付記１〜２０のいずれか１つに記載の照明装置。
【０１５１】
（付記２２）
前記台座部は、前記第２面に設けられた凸部を有し、
前記外周部は、前記内周部と対向する面に前記軸を中心とした周回に沿う第１溝部を有し、
前記凸部は、前記溝部と嵌合した付記２１記載の照明装置。
【０１５２】
（付記２３）
前記外周部は、前記外周部の端部から前記第１溝部まで連通した第２溝部を有する付記２２記載の照明装置。
【０１５３】
（付記２４）
前記台座部は、前記第２面に設けられた前記発光部と導通する第１電極を有し、
前記外周部は、前記第１電極と接し前記口金と導通する第２電極を有する付記２１〜２３のいずれか１つに記載の照明装置。
【０１５４】
（付記２５）
前記内周部と前記外周部との間において、前記複数の光源ユニットが設けられていない部分に配置された第１治具をさらに備えた付記２１〜２４のいずれか１つに記載の照明装置。
【０１５５】
（付記２６）
前記第２溝部に配置された第２治具をさらに備えた付記２１〜２５のいずれか１つに記載の照明装置。
【０１５６】
以上説明したように、実施形態に係る照明装置によれば、複数の光源ユニットを環状に配置した場合の放熱性を高めることができる。
【０１５７】
なお、上記に本実施の形態およびその変形例を説明したが、本発明はこれらの例に限定されるものではない。例えば、前述の各実施の形態またはその変形例に対して、当業者が適宜、構成要素の追加、削除、設計変更を行ったものや、各実施の形態の特徴を適宜組み合わせたものも、本発明の要旨を備えている限り、本発明の範囲に含有される。
【０１５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５９】
１０…口金、２０…支持体、２１…ケース部、２２…取り付け部、２２ａ…固定面、２２ｈ…孔、３０…光源ユニット、３１…台座部、３１ａ…第１面、３１ｂ…第２面、３１ｃ…切り欠き部、３１ｈ…貫通孔、３１ｔ…突起、３２…発光部、３３…枠部材、３４…グローブ、３４ｈ…穴部、３５…突起、３５ｓ…ねじ孔、１１０，１２０，１９０…照明装置、２００…反射部材、２１０…隙間、２１１…内周部、２１１ｇ…取り付け溝、２１２…外周部、２１２ａ…第１溝部、２１２ｂ…第２溝部、２１３…第１治具、２１３ｔ…凸部、２１４…第２治具、３００…取り付けリング、３００ｈ…孔、３１０ａ…第１部分、３１０ｂ…第２部分、３１１…第１端部、３１２…第２端部、３１３…第３端部、３１４…第４端部、３１５…凸部、３２２…基板、３２５…絶縁シート、３４１…膨らんだ部分、３５０…空気流路、Ｄ１…第１方向、Ｄ２…第２方向、Ｄ３…第３方向、Ｄ４…第４方向、Ｄ５…第５方向、ＲＤ…周回、ＳＲ…領域、ＴＭ１，ＴＭ２…電極、ＴＭ１１，ＴＭ２１…電極、Ｗ…幅、Ｗ１…第１の幅、Ｗ２…第２の幅、ａｘ…軸、ｄ…隙間、ｐｔ１…第１突出部、ｐｔ２…第２突出部、ｒ１…外径、ｓ１…下面、ｓ２…上面、ｕｆ…上端
【図１】
2014167896.tif 000004
【図２】
2014167896.tif 000005
【図３】
2014167896.tif 000006
【図４】
2014167896.tif 000007
【図５】
2014167896.tif 000008
【図６】
2014167896.tif 000009
【図７】
2014167896.tif 000010
【図８】
2014167896.tif 000011
【図９】
2014167896.tif 000012
【図１０】
2014167896.tif 000013
【図１１】
2014167896.tif 000014
【図１２】
2014167896.tif 000015
【図１３】
2014167896.tif 000016
【図１４】
2014167896.tif 000017
【図１５】
2014167896.tif 000018
【図１６】
2014167896.tif 000019
【図１７】
2014167896.tif 000020
【図１８】
2014167896.tif 000021
【図１９】
2014167896.tif 000022
【図２０】
2014167896.tif 000023
【図２１】
2014167896.tif 000024
【図２２】
2014167896.tif 000025
【図２３】
2014167896.tif 000026
【図２４】
2014167896.tif 000027
【図２５】
2014167896.tif 000028
【図２６】
2014167896.tif 000029
【図２７】
2014167896.tif 000030
【図２８】
2014167896.tif 000031
【図２９】
2014167896.tif 000032
【図３０】
2014167896.tif 000033
【図３１】
2014167896.tif 000034
【図３２】
2014167896.tif 000035
【図３３】
2014167896.tif 000036
【図３４】
2014167896.tif 000037